(57)【要約】      （修正有）【課題】吊り金具に戸の上端面に螺合した吊り下げボルトを吊り下げてなる吊り戸装置に関するもので、作業性にすぐれた吊り戸装置を提供する。【解決手段】吊り下げボルト８は、螺軸部８１と、螺軸部の上部に位置し螺軸部より大径の頭部８２を有し、吊り金具６は、吊り下げボルトの頭部を支持する支持壁６４と、吊り下げボルトの回転止めと外れ止めを行う固定部材９の連結壁６３を有し、支持壁は、螺軸部の径よりやや大きく、頭部の径より小さな係合孔７を有し、固定部材は、係合孔に螺軸部が挿通し、頭部下面が支持壁に載置された状態で、吊り下げボルトの頭部に外嵌する外嵌部と、連結壁と連結される連結部９３が合成樹脂材にて一体に成形され、連結部は、前記取付孔に対応する固定用連結孔９０と、連結壁側の反対方向に突出し、前記係止孔に係合する戻り止め突起９５を下面に突出させた弾性脚部９４を有しているものである。【選択図】図５
2010106434.tif 000002
【特許請求の範囲】
【請求項１】
戸の上面に螺合した複数個の吊り下げボルトを戸の開閉方向に移動可能な吊り金具に吊り下げてなる吊り戸装置において、吊り下げボルトは、戸の上面に螺合する螺軸部と、螺軸部の上部に位置し螺軸部より大径の頭部を有し、吊り金具は、吊り下げボルトの頭部を支持する支持壁と、吊り下げボルトの回転止めと外れ止めを行う固定部材が連結される連結壁と、固定部材の上り止めをおこなう上壁を有し、支持壁は、連結壁の対向側の端部が開口し、螺軸部の径よりやや大きく、頭部の径より小さな係合孔と、固定部材が仮固定される係止孔を有し、連結壁は、固定部材を連結する取付孔を有し、固定部材は、係合孔に螺軸部が挿通し、頭部下面が支持壁に載置された状態で、吊り下げボルトの頭部に外嵌する外嵌部と、連結壁と連結される連結部が合成樹脂材にて一体に成形され、連結部は、前記取付孔に対応する固定用連結孔と、連結壁側の反対方向に突出し、前記係止孔に係止する戻り止め突起を下面に突出させた弾性脚部を有していることを特徴する吊り戸装置。
【請求項２】
固定部材の戻り止め突起が係止孔に係止した状態で弾性脚部の連結壁側と反対側の端部が、支持壁の端部より外方に突出していることを特徴とする請求項１に記載の吊り戸装置。
【請求項３】
固定部材の外嵌部の連結壁側と反対側の端部が、支持壁と上壁間の間隙とほぼ等しい厚みに形成されている事を特徴とする請求項１、又は、請求項２に記載の吊り戸装置。
【発明の詳細な説明】
【技術分野】
【０００１】
本発明は、戸の開閉方向に移動可能な吊り金具に、戸の上端面に螺合した吊り下げボルトを吊り下げてなる吊り戸装置に関するものである。
【背景技術】
【０００２】
この種の吊り戸装置としては、上部に設けたレールに沿って移動可能な支持体（本発明では吊り金具）に、引戸（本発明では戸）を複数の吊支ロッド（本発明では吊り下げボルト）で吊り下げてなる吊り下げ式引戸（本発明では吊り戸装置）において、支持体は垂直板とその下端に後方に向けて直角に形成した受板とを有し、前記垂直板の下端複数箇所には開口を形成すると共に、該開口に連続するよう前記受板の折曲縁寄りに係合孔を形成し、前記引戸の上端面複数箇所に螺合した吊支ロッドの頭部を前方から開口内に挿入し、且つ、吊支ロッドの軸部を係合孔内に位置させるとともに、頭部を受板に係止し、断面Ｌ字形の保持部材（本発明では固定部材）の垂直片で前期開口を塞ぐように支持体の垂直板に取付け、該保持部材の水平片にその端縁に向けて開放して形成した止め穴内に前記吊支ロッドの軸部を受け入れて保持し、垂直片と垂直板をネジ止め連結したものがある。（例えば、特許文献１参照。）
【０００３】
この場合、引戸の高さを調節するには、支持体に設けられた開口内に挿入したスパナで吊支ロッドの頭部を回動させなければならないので、スパナの回動範囲（回動角度）は、開口の巾に影響される。（開口の巾を最大にしても、スパナを１８０度回動させることは不可能。）従って、引戸を所望の高さに調節するには、スパナを開口から何度も出し入れし、その都度、スパナを吊支ロッドの頭部に嵌合させなければならず、煩雑な作業となっていた。
【０００４】
一方、最適な引戸の高さ位置を決める為には、頭部の回動作業にあわせて、引戸の開閉動作が何度も必要となり、そして、開閉時に吊支ロッドの軸部が係合孔から外れることがないよう保持部材をネジ止めする必要がある。
すなわち、最適な引戸の高さ位置を決定する為には、ネジ止め作業と、ネジを外す作業（頭部をスパナで回動するため保持部材を取外す作業）が何度も必要となり非常に煩わしかった。
【０００５】
【特許文献１】特許第３２５５１２７号公報
【発明の開示】
【発明が解決しようとする課題】
【０００６】
本発明は、作業性にすぐれた吊り戸装置を提供することを課題とする。
【課題を解決するための手段】
【０００７】
そこで、上記課題を解決する為、本発明が第１の手段として構成したところは、戸の上面に螺合した複数個の吊り下げボルトを戸の開閉方向に移動可能な吊り金具に吊り下げてなる吊り戸装置において、吊り下げボルトは、戸の上面に螺合する螺軸部と、螺軸部の上部に位置し螺軸部より大径の頭部を有し、吊り金具は、吊り下げボルトの頭部を支持する支持壁と、吊り下げボルトの回転止めと外れ止めを行う固定部材が連結される連結壁と、固定部材の上り止めをおこなう上壁を有し、支持壁は、連結壁の対向側の端部が開口し、螺軸部の径よりやや大きく、頭部の径より小さな係合孔と、固定部材が仮固定される係止孔を有し、連結壁は、固定部材を連結する取付孔を有し、固定部材は、係合孔に螺軸部が挿通し、頭部下面が支持壁に載置された状態で、吊り下げボルトの頭部に外嵌する外嵌部と、連結壁と連結される連結部が合成樹脂材にて一体に成形され、連結部は、前記取付孔に対応する固定用連結孔と、連結壁側の反対方向に突出し、前記係止孔に係止する戻り止め突起を下面に突出させた弾性脚部を有するものである。
【０００８】
次に、上記課題を解決するため本発明が手段とする第２の特徴は、上記第１の特徴に加え、固定部材の戻り止め突起が係止孔に係止した状態で弾性脚部の連結壁側と反対側の端部が、支持壁の端部より外方に突出しているものである。
【０００９】
次に、上記課題を解決するため本発明が手段とする第３の特徴は、上記第１、又は、第２の特徴に加え、固定部材の外嵌部の連結壁側と反対側の端部が、支持壁と上壁間の間隙とほぼ等しい厚みに形成されているものである。
【発明の効果】
【００１０】
請求項１に記載の発明によると、吊り金具の連結壁に取付られる固定部材は、外嵌部に連設された連結部に、支持壁の係止孔に係止する戻り止め突起が形成された弾性脚部を有しているので、戸の高さを調節するときは、係合孔に螺軸部が挿通し、頭部下面が支持壁に載置された状態で、スパナ等で吊り下げボルトを回動して、戸を一応の目安となる高さにした後、外嵌部を頭部に外嵌し、同時に係止孔に戻り止め突起を係止して、固定部材を吊り金具に仮固定し、吊り下げボルトの係合孔からの脱落を一時的に阻止した状態で、引戸を開閉して他のオプション部材（全開ストッパー部材、ブレーキ部材等）との高さ調整を適宜行う。
この時、係止孔に係止させた戻り止め突起は弾性脚部によって弾性的に係止した状態であるから、プライヤー等の工具によって簡単に取外すことが可能であり、従来のように調整の都度ネジを取外す必要がなく、固定部材の取付け、取外し作業が非常に容易であるから、引戸の高さ調節の作業も手軽に行うことが出来る。
【００１１】
又、連結部には固定用連結孔を設けているので、最適な引き戸の高さが決定したときは、固定用連結孔から、連結壁の取付孔に連結ネジを螺合すれば、吊り金具に固定部材は強固に連結され、戸は安定よく取り付けられる。
【００１２】
又、請求項２に記載の発明によると、固定部材の戻り止め突起が係止孔に係止した状態で弾性脚部の連結壁側と反対側の端部が、支持壁の端部より外方に突出しているので、この突出部分をプライヤー等で挟持すれば固定部材の取外しが非常に簡単である。
【００１３】
又、請求項３に記載の発明によると、固定部材の外嵌部の連結壁側と反対側の端部が、支持壁と上壁間の間隙とほぼ等しい厚みに形成されているので、固定部材の仮固定状態で、外嵌部の連結壁側と反対側の端部が上壁に近接し、固定側部材は不測に上方に移動することがなく、戻り止め突起が係止孔から不測に外る事がない。
したがって、固定部材の仮固定状態で、戸が開閉されても吊り下げボルトが係合孔から外れることがなく、安全に作業を行うことが出来る。
【発明を実施するための最良の形態】
【００１４】
本発明は、戸の上面に螺合した複数個の吊り下げボルトを戸の開閉方向に移動可能な吊り金具に吊り下げてなる吊り戸装置において、吊り下げボルトは、戸の上面に螺合する螺軸部と、螺軸部の上部に位置し螺軸部より大径の頭部を有し、吊り金具は、吊り下げボルトの頭部を支持する支持壁と、吊り下げボルトの回転止めと外れ止めを行う固定部材が連結される連結壁と、固定部材の上り止めをおこなう上壁を有し、支持壁は、連結壁の対向側の端部が開口し、螺軸部の径よりやや大きく、頭部の径より小さな係合孔と、固定部材が仮固定される係止孔を有し、連結壁は、固定部材を連結する取付孔を有し、固定部材は、係合孔に螺軸部が挿通し、頭部下面が支持壁に載置された状態で、吊り下げボルトの頭部に外嵌する外嵌部と、連結壁と連結される連結部が合成樹脂材にて一体に成形され、連結部は、前記取付孔に対応する固定用連結孔と、連結壁側の反対方向に突出し、前記係止孔に係止する戻り止め突起を下面に突出させた弾性脚部を有し、固定部材の戻り止め突起が係止孔に係止した状態で弾性脚部の連結壁側と反対側の端部が、支持壁の端部より外方に突出し、固定部材の外嵌部の連結壁側と反対側の端部が、支持壁と上壁間の間隙とほぼ等しい厚みに形成されているものである。
【実施例】
【００１５】
以下、添付図面に基づいて実施例を詳述する。
図１〜図３において、符号１は吊り戸枠を示している。
吊り戸枠１は、建物側の鉄骨１０１・・・のブラケット１０２・・・に溶接され、下端部が床面仕上げ時に床面に埋め込まれ、所定間隔を有して固定された戸尻側縦枠１２と戸先側縦枠１１と、戸尻側縦枠１２と戸先側縦枠１１の上端間に配設され、建物側鉄骨１０１のブラケット１０２に溶接固定された上枠１３より門形に形成されている。
【００１６】
符号１４は吊り戸支持枠を示している。吊り戸支持枠１４は、戸尻側縦枠１２と戸先側縦枠１１の内面に高さ調節可能に連結され、戸尻側縦枠１２と戸先側縦枠１１の上部間に配設され、内面にスライドレール２が着脱自在に連結されている。
符号１６、１７は室外側戸袋パネルと室内側戸袋パネルを示している。
室外側戸袋パネルと１６と室内側戸袋パネル１７は対向したほぼ同一の構成で、床面に配設された戸袋ベース１６０に下端部が支持され、戸先側の上端部が、取付金具を介して、吊り戸支持枠１４の室外側面、室内側面にそれぞれ連結され、戸尻側の端面が、戸尻側縦枠１２の内面に設けられた戸袋パネル係止部に係合して、前後方向に所定間隔を有して配設されて戸袋を構成している。
【００１７】
符号１８、１９は室内側ランマパネルと室外側ランマパネルを示している。
室内側ランマパネル１８と室外側ランマパネル１９は対向したほぼ同一の構成で、上端が上枠１３の下面に係止され、左右端部が戸尻側縦枠１２と戸先側縦枠１１の内面に設けられたランマ取付部にネジ止めされて、吊り戸枠１に着脱自在となし、室内側ランマパネル１８（吊り戸支持枠１４のスライドレール２が取付けられる側）をメンテナンス等のための点検パネルとしている。
符号５は戸を示し、上部は、スライドレール２を介して吊り戸支持枠１４に吊り下げられ、戸５の下端面のローラー嵌合溝５２は、戸袋ベース１６０の戸先側端部に設けられたガイドローラー５０に嵌合して前後方向への振れ止めがなされている。
【００１８】
吊り戸支持枠１４は、図２、図４に示す如く、室内側下方部と下面が開口してレール取付用開口１４０が形成され、該レール取付用開口１４０に臨む垂直状のレール取付面１５を有する断面略逆Ｌ字型に形成され、レール取付面１５にスライドレール２が着脱自在に取付られている。
【００１９】
スライドレール２は、図４に示す如く、スライド装置２１と、アルミの押出材より形成されたスライド装置２１の補強材２０が一体に連結されて構成されている。
そして、その開閉方向の長さは、戸５の移動距離よりやや長めに形成され、吊り戸支持枠材１４のレール取付面１５の室内側にネジ止めにて着脱自在に取付られている。
この時、戸５が自閉するよう、スライドレール２は戸先側が前下がりとなるよう取付けられている。
【００２０】
スライド装置２１は、図４に示す如く、補強材２０の室内側に保持される断面略Ｃ字形のアウターメンバー２２と、アウターメンバー２２にボールリテーナー２３に保持された複数個のボール２４・・・を介してスライド自在に保持される断面略Ｃ字形のインナーメンバー２５より構成されており、補強材２０とアウターメンバー２２は戸５の移動距離よりやや長めに形成され、インナーメンバー２５は戸５の開閉方向の幅よりやや小さ目に形成され、ボールリテーナー２３はインナーメンバー２５の２倍強の幅に形成されている。
【００２１】
符号６はインナーメンバー２５の室内側に固着された吊り金具６を示している。
吊り金具６は、インナーメンバー２５と開閉方向にほぼ同幅で、インナーメンバー２５の室内側に固着される取付壁６１と、取付壁６１の下端部をスライドレール２の下方で室外側ランマパネル１９方向に突出させた上壁６２と、上壁６２の室外側ランマパネル１９側端部を下方に突出させた連結壁６３と、連結壁６３の下端部を室内側ランマパネル１８方向に突出させた支持壁６４より構成されている。
そして、戸５の上面開閉方向の所定位置に取付られた（通常、戸先側と戸尻側の２箇所）吊り下げボルト８の位置に対応して、後記する係合孔７が形成され、係合孔７の戸５の開閉方向側の両側で、取付壁６１側に位置して、固定部材９の後記する戻り止め突起９５、９５が係止する係止孔６４１、６４１が形成されている。
【００２２】
吊り下げボルト８は、図４、図５に示すように  戸５の上面に固着されたナット５１に螺合する螺軸部８１と、螺軸部８１の上部に位置し螺軸部８１より大径で且つ係合孔７の開閉方向の巾よりも大径の頭部８２より構成されている。
すなわち、前記係合孔７は、戸５の開閉方向で螺軸部８１の径よりやや大きく、頭部８２の径より小さく、連結壁６３の対向側の端部が開口して形成されている。
【００２３】
固定部材９（図６に示す。）は、吊り下げボルト８の頭部８２の外形に合致する形状で、連結壁６３側の端部が開口する嵌合孔９１を有し、左右側壁９２１、９２１、頭部壁９２２より略コ字形に形成された嵌合部９２と、嵌合部９２の連結壁６３側の端部に、戸５の開閉方向に向かって突出して連設された、連結壁６３と連結される左右の連結部９３、９３より合成樹脂材にて一体に成形されている。
【００２４】
そして、連結部９３、９３は、前記取付孔６３１、６３１に対応する固定用連結孔９０、９０と、連結壁６３側の反対方向に突出し、前記係止孔６４１、６４１に係合する戻り止め突起９５、９５を下面に突出させた弾性脚部９４、９４を有している。
弾性脚部９４は、戻り止め突起９５が係止孔６４１に係止した状態（固定部材９の仮固定状態）で連結壁６３側と反対側の端部が、支持壁６４の端部より外方に突出している。そして、この突出した箇所をプライヤー等で挟んで、上方に持ち上げるようにして、戻り止め突起９５と係止孔６４１の係止状態を外して、固定部材９を吊り下げ金具６より取外し、吊り下げボルト８を回動して、戸５の高さ調節を行い再び、固定部材９を仮固定し戸５の開閉動作を行って、オプション部材、戸先側縦枠１１との取り合い関係等の確認作業を行う。
【００２５】
この時、不測に固定部材９が浮上らないよう、左右側壁９２１、９２１の連結部９３、９３側端部上面から頭部壁９２２の上面にかけて上向き傾斜面部９２２、９２２が形成されている。
すなわち、連結部９２、９２の厚みは、上壁６２と支持壁６４間の寸法より小さく形成して、上壁６２と支持壁６４間に差し込みやすく形成し、左右側壁９２１、９２１の頭部壁９２２側端部から頭部壁９２２にかけての厚みを、上壁６２と支持壁６４間の寸法に近接させることにより、固定部材９の仮固定状態で、固定部材９が上方に浮上るのを防止している。
【００２６】
本発明は上記の如く構成され、戸５をやや持ち上げて、係合孔７の近傍に吊り下げボルト８の頭部８２を位置させながら、開閉方向に動かして、係合孔７内に螺軸部８１を嵌入し、戸５を室外側ランマパネル１９側に押しやり、戸５のガイドローラー嵌合溝５２にガイドローラー５０が嵌合する位置で、戸５を下げると、ガイドローラー５０にガイドローラー嵌合溝５２が嵌合し、同時に頭部８２の下面が支持壁６４の上面に支持される。
そして、この状態で、頭部８２にスパナを嵌合し、回動することで、戸５は上下動する
【００２７】
一方、戸５は、閉鎖時に戸先側縦枠１２（戸当り受け部材１１１）と戸５の戸先側端部（戸当り部材５３）を閉鎖時に密着するよう調整したり、オプション部材との取り合いを調整する為、何度も吊り下げボルト８を回動調整し、しかも、その都度、戸５の開閉動作を繰り返しおこなう必要があるが、そのとき、吊り下げボルト８が係合孔７から脱落するのを防止する為、固定部材９を上壁６２と支持壁６４間に差し込んで、吊り下げボルト８の頭部８２に外嵌部９２を外嵌すると同時に、係止孔６４１、６４１に戻り止め突起９５、９５を係止し、この状態で戸５を開閉する。
【００２８】
そして、戸５が最適な高さに調節されたときは、仮固定された固定部材９の固定用連結孔９０、９０に連結ネジ９００、９００を挿通し、取付孔６３１、６３１に螺合して、連結壁６３に固定部材９を連結する。
【図面の簡単な説明】
【００２９】
【図１】本発明の吊り戸装置の要部正面図
【図２】本発明の吊り戸装置の要部縦断面図
【図３】本発明の吊り戸装置の要部横断面図
【図４】本発明の要部拡大縦断面図
【図５】戸の吊り下げ途中を示めす要部分解斜視図
【図６】固定部材の斜視図
【図７】固定部材と吊り下げ金具の連結状態を示す要部断面図
【符号の説明】
【００３０】
１              吊り戸枠
１１            戸尻側縦枠
１２            戸先側縦枠
１３            上枠
１４            吊り戸支持枠
２              スライドレール
５              戸
６              吊り金具
６３            連結壁
６３１、６３１  取付孔
６４            支持壁
６４１、６４１  係止孔
７              係合孔
８              吊り下げボルト
８１            螺軸部
８２            頭部
９              固定部材
９２            外嵌部
９３、９３      連結部
９４、９４      弾性脚部
９５、９５      戻り止め突起
【図１】
2010106434.tif 000003
【図２】
2010106434.tif 000004
【図３】
2010106434.tif 000005
【図４】
2010106434.tif 000006
【図５】
2010106434.tif 000007
【図６】
2010106434.tif 000008
【図７】
2010106434.tif 000009